(57)【要約】【課題】防音パネルを挟んだ両側において発生した音の拡散を抑える。【解決手段】音源から発せられた音の拡散を抑える防音パネル（１００）であって、正面と背面に露出する吸音部（１，１ａ，１ｂ）と、吸音部（１，１ａ，１ｂ）の正面及び背面を外部に露出させた状態で吸音部（１，１ａ，１ｂ）を収容する収容部（２）と、を備える。【選択図】図３
2018080557.tif 000002
【特許請求の範囲】
【請求項１】
音源から発せられた音の拡散を抑える防音パネルであって、
正面と背面に露出する吸音部と、
前記吸音部の正面及び背面を外部に露出させた状態で前記吸音部を収容する収容部と、
を備えることを特徴とする防音パネル。
【請求項２】
前記吸音部は、前記正面と前記背面との間に空気層を有していることを特徴とする請求項１に記載の防音パネル。
【請求項３】
前記吸音部は、正面側で前記音源に面し、背面側で互いに向かい合うようにして少なくとも２つ設けられていることを特徴とする請求項１又は２に記載の防音パネル。
【請求項４】
２つの吸音部は、互いに離間して配置されていることを特徴とする請求項３に記載の防音パネル。
【請求項５】
前記収容部の上部に設けられ、前記吸音部の上部を支持する上部支持部と、
前記収容部の下部に設けられ、前記吸音部の下部を支持する下部支持部と、
を備え、
前記上部支持部と前記下部支持部との間にわたって延在して、前記少なくとも２つの吸音部の間を背面側で仕切る仕切部を有することを特徴とする請求項３又は４に記載の防音パネル。
【請求項６】
前記仕切部は、一方の前記吸音部と他方の前記吸音部とを互いに離間させて当該吸音部の間に空気層を形成する離間部位と、前記一方の吸音部及び前記他方の吸音部を背面側から支える支持部位と、を備えることを特徴とする請求項５に記載の防音パネル。
【請求項７】
前記離間部位は、少なくとも２つ設けられていることを特徴とする請求項６に記載の防音パネル。
【請求項８】
前記収容部の側部に設けられた側壁部を備え、
前記上部支持部及び前記下部支持部は、該上部支持部及び該下部支持部に前記側壁部を固定する固定具が挿入される受け部を備えることを特徴とする請求項５から７までのいずれか一項に記載の防音パネル。
【請求項９】
前記吸音部は、弾性材料により形成されていることを特徴とする請求項１から８までのいずれか一項に記載の防音パネル。
【請求項１０】
請求項１から９までのいずれか一項に記載の防音パネルを支柱間に設けたことを特徴とする防音壁。
【発明の詳細な説明】
【技術分野】
【０００１】
本発明は、音源から発せられた音の拡散を抑える防音パネル及び防音壁に関する。
【背景技術】
【０００２】
従来、例えば道路等の防音壁は、道路の側方において道路とその周辺とを隔てるように、道路に沿って一定間隔置きに立設させたパネル支持用Ｈ形鋼の縦溝内に、防音パネルを上下方向に複数段に積み上げた状態で、道路に沿って並べて設置することで構成されている（特許文献１参照。）。
防音パネルは、防音材と吸音材とから構成されており、いずれも夫々の左右両端部を、横方向に隣接するパネル支持用Ｈ形鋼の夫々の縦溝内に嵌入させてあり、騒音源となる車両が走行する道路及び線路に面して配置されている。さらに、道路側とは反対側の背面側には孔の開いてない金属板製の遮音板が設けられており、道路側からの発生音を防音壁の背面側には逃がさないように構成してある。
【先行技術文献】
【特許文献】
【０００３】
【特許文献１】特開２０１４−１０１７４７号公報
【発明の概要】
【発明が解決しようとする課題】
【０００４】
ところで、近年、都市部などの住宅地においては、建物同士、又は、建物と道路とが隣接していることがある。例えば、特許文献１に記載の防音パネルを建物同士の間、又は、道路と建物との間に重ねて防音壁を構築した場合、吸音材及び防音材が面している一方の側からの音は防音パネルにより抑えられるが、金属板製の遮音板が面している側での吸音効果はあまり期待できない。
防音材や吸音材が設けられていない遮音板が面する側から生じる音は、遮音板に反射して増幅されることがあり、防音パネルを挟んで両方向からの音の伝播を抑えたいという要望がある。
【０００５】
そこで、本発明は、上記課題に鑑みてなされたものであり、防音パネルを挟んだ両側において発生した音の拡散を抑える防音パネルを提供することを目的とする。
【課題を解決するための手段】
【０００６】
上記課題を解決するために、本発明は、音源から発せられた音の拡散を抑える防音パネルであって、正面と背面に露出する吸音部と、前記吸音部の正面及び背面を外部に露出させた状態で前記吸音部を収容する収容部と、を備えることを特徴とする。
【０００７】
また、前記吸音部は、前記正面と前記背面との間に空気層を有していることが好ましい。
【０００８】
また、前記吸音部は、正面側で前記音源に面し、背面側で互いに向かい合うようにして少なくとも２つ設けられていることが好ましい。
【０００９】
また、２つの吸音部は、互いに離間して配置されていることが好ましい。
【００１０】
また、前記収容部の上部に設けられ、前記吸音部の上部を支持する上部支持部と、前記収容部の下部に設けられ、前記吸音部の下部を支持する下部支持部と、を備え、前記上部支持部と前記下部支持部との間にわたって延在して、前記少なくとも２つの吸音部の間を背面側で仕切る仕切部を有することが好ましい。
【００１１】
また、前記仕切部は、一方の前記吸音部と他方の前記吸音部とを互いに離間させて当該吸音部の間に空気層を形成する離間部位と、前記一方の吸音部及び前記他方の吸音部を背面側から支える支持部位と、を備えることが好ましい。
【００１２】
また、前記離間部位は、少なくとも２つ設けられていることが好ましい。
【００１３】
また、前記収容部の側部に設けられた側壁部を備え、前記上部支持部及び前記下部支持部は、該上部支持部及び該下部支持部に前記側壁部を固定する固定具が挿入される受け部を備えることが好ましい。
【００１４】
また、前記吸音部は、弾性材料により形成されていることが好ましい。
【００１５】
さらに、上記課題を解決するために、本発明は、防音壁であって、上記の防音パネルを支柱間に設けたことを特徴とする。
【発明の効果】
【００１６】
本発明によれば、防音壁を挟んだいずれの側において発生した音を吸収することができる。
【図面の簡単な説明】
【００１７】
【図１】敷地と道路との境界に設置された防音壁を一部段面にして示す図である。
【図２】防音パネルを正面側及び背面側から見た図である。
【図３】図２のIII-III線に沿った断面図である。
【図４】上枠の断面図である。
【図５】上枠を上方から見た平面図である。
【図６】下枠の断面図である。
【図７】下枠を下方から見た平面図である。
【図８】側壁部近傍の構成を示す図である。
【図９】縦枠の断面図である。
【図１０】防音パネルに水がかかったときの作用効果を説明する図である。
【発明を実施するための形態】
【００１８】
本発明の好ましい実施の形態について、図面を参照しながら説明する。なお、以下に示す実施の形態は一つの例示であり、本発明の範囲において種々の形態をとり得る。
図１は、敷地と道路との境界に設置された防音壁を一部段面にして示す図である。図２（ａ）は、防音パネルを正面側から見た図であり、図２（ｂ）は、防音パネルを背面側から見た図である。図３は、図２（ａ）のIII-III線に沿った断面図である。図４は、上枠の断面図である。図５は、上枠を上方から見た平面図である。図６は、下枠の断面図である。図７は、下枠を下方から見た平面図である。図８は、側壁部近傍の構成を示す図であり、図示の便宜上、仕切材を省いた。図９（ａ）は、第１の吸音材側の縦枠の断面図であり、図９（ｂ）は、第２の吸音材側の縦枠の断面図である。図１０は、防音パネルに水がかかったときの作用効果を説明する図である。
【００１９】
＜防音壁の構成＞
図１に示すように、防音壁３００は、例えば、住宅街における住宅同士の敷地の境界、又は、住宅と道路との境界に立設されている。防音壁３００は、防音パネル１００と、支柱２００とを備えている。支柱２００は、所定の間隔、具体的には、防音パネル１００の幅に相当する間隔をあけて敷地の境界に複数立設されている。支柱２００は、例えば、Ｈ形鋼で構成されており、防音パネル１００の幅方向（長手方向ともいう。）の両端部は、Ｈ形鋼のフランジ間に上方から挿入され、支柱２００に係止されている。防音パネル１００は、支柱２００の上下方向（立設方向）に沿って複数段にわたって積み重ねられている。
【００２０】
＜防音パネル＞
図１から図３に示すように、防音パネル１００は、少なくとも２つの吸音材（吸音部）１と、収容部２と、上枠（上部支持部）３と、下枠（下部支持部）４と、側壁部６と、縦枠７と、を備えている。
【００２１】
［吸音材］
図１及び図２に示すように、吸音材１は、防音パネル１００のユニットの大きさに合わせて、例えば、平面視矩形状に形成された板状の部材である。図３に示すように、吸音材１は、防音パネル１００に少なくとも２つ（図示の実施の形態では２つ）設けられている。以下、２つの吸音材１，１を説明の便宜上、第１の吸音材１ａ、及び、第２の吸音材１ｂとも呼ぶ。第１の吸音材１ａ及び第２の吸音材１ｂそれぞれの表面（以下、「正面」ともいう。）は、例えば、敷地内及び道路に露出して配置されている。
第１の吸音材１ａ及び第２の吸音材１ｂは、互いの間に空気層Ａｓが形成されるように、背面が互いに離間するように配置されている。
吸音材１は、例えば、ポリエステル、グラスウール等の繊維材や、ウレタン等の樹脂から形成されたスポンジ材や、内部に綿や羽毛が詰められたクッション材により、又はこれらの組み合わせにより形成されている。吸音材１は、人等の衝突によるエネルギーを吸収して怪我を防止するように弾性変形可能に形成されている。吸音材１の正面には、吸音材１を保護する保護材１１が設けられている。保護材１１は、例えば、ポリエステルの特殊撥水クロスから形成されており、耐候性（耐水、耐熱、耐紫外線）に優れ、吸音材１の劣化を抑制する。保護材１１は、吸音材１の衝撃吸収性を損なわないよう、吸音材１の変形に追随して変形可能な材料である。
【００２２】
なお、保護材１１は、吸音材１の正面だけに設ける場合に限らず、吸音材１の正面と背面に保護材１１を設けてもよい。保護材１１を吸音材１の両面に設けておけば、正面側の保護材１１が経年劣化などにより機能が低下した場合でも、吸音材１の表裏を入れ替えることにより、背面に設けられた保護材１１を正面側に配置することができる。かくして、吸音材１の機能を簡易に改修することができ、吸音材１の交換サイクルを延ばすことができるので経済的である。
【００２３】
［収容部］
図３に示すように、収容部２は、吸音材１を収容するものであり、防音パネル１００の一部として設置した際に、収容部２の上部に設けられ吸音材１の上部を支持して水平に延在する上枠３と、収容部２の下部に設けられ吸音材１の下部を支持して水平に延在する下枠４と、を備えている。
さらに、収容部２は、上枠３と下枠４との間（防音パネル１００の高さ方向）において、収容部２を防音パネル１００の長手方向に沿って短手方向（厚さ方向ともいう。）に仕切る仕切材（仕切部）５を備える。仕切材５は、第１の吸音材１ａと第２の吸音材１ｂとの間に配置されている。
【００２４】
（上枠）
図２から図５に示すように、上枠３は、収容部２に収容された第１の吸音材１ａ及び第２の吸音材１ｂの上端部を支持するものである。上枠３は、例えば、アルミニウム又はアルミニウム合金から形成されている。
上枠３は、防音パネル１００の敷地内及び道路を臨む両先端部が下方に向けて折り曲げられており、第１の吸音材１ａ及び第２の吸音材１ｂの正面の面方向に対してほぼ平行に延びている。
上枠３は、第１の吸音材１ａを正面側から支持する第１の支持部３１、第２の吸音材１ｂを正面側から支持する第２の支持部３２と、第１の吸音材１ａを背面側から支持する第３の支持部３３と、第２の吸音材１ｂを背面から支持する第４の支持部３４と、第１の吸音材１ａから第２の吸音材１ｂにわたって水平方向に延在する天井部３５とを一体に備えて形成されている。
【００２５】
第１の支持部３１は、第１の吸音材１ａの正面側から当接する第１の当接部３１ａを備える。第１の当接部３１ａは、天井部３５に連続し、正面側に張り出した第１の張出部３１ｂを備えて形成されている。第１の張出部３１ｂは、第１の当接部３１ａに上端及び下端が連続して正面側に張り出している。これにより、第１の当接部３１ａと第１の張出部３１ｂとで閉構造を形成している。
第１の当接部３１ａは、防音パネル１００の上下方向、すなわち、第１の吸音材１ａの上下方向（面方向）に沿って直線状に延びるように形成されており、その下端部（先端部）は、支持される第１の吸音材１ａ及び第２の吸音材１ｂの正面に向けて若干突出している。
【００２６】
第２の支持部３２は、第２の吸音材１ｂの正面側から当接する第２の当接部３２ａを備える。第２の当接部３２ａは、天井部３５に連続し、正面側に張り出した第２の張出部３２ｂを備えて形成されている。第２の当接部３２ａ及び第２の張出部３２ｂの構成は、第１の支持部３１の第１の当接部３１ａ及び第１の張出部３１ｂと同様である。
【００２７】
第３の支持部３３は、天井部３５のほぼ中央部に位置し、第１の吸音材１ａの背面側から当接する第３の当接部３３ａを備える。第３の当接部３３ａは、第２の吸音材１ｂ側に張り出した第３の張出部３３ｂを備えて形成されている。第３の張出部３３ｂは、第３の当接部３３ａの先端部から第２の吸音材１ｂの方向に天井部３５に向かって斜めに延出し、次いで垂直に延在して天井部３５に接続している。これにより、第３の当接部３３ａと第３の張出部３３ｃとで閉構造を形成している。第３の張出部３３ｃの斜めに延出している部分において、後述する仕切材５がリベットＬにより連結される。
【００２８】
第４の支持部３４は、第２の吸音材１ｂの背面側から当接する第４の当接部３４ａを有し、天井部３５から下枠４に向かって直線状に延びるように形成されている。
【００２９】
第１の支持部３１の第１の当接部３１ａの内面と、第３の支持部３３の第１の当接部３３ａの内面との間隔は、第１の吸音材１ａの厚さ以下となるような長さに形成されている。また、第２の支持部３２の第２の当接部３２ａの内面と、第３の支持部３３の第４の当接部３４ａの内面との間隔は、第２の吸音材１ｂの厚さ以下となるような長さに形成されている。
【００３０】
天井部３５は、防音パネル１００の厚さ方向における両端部、及び、そのほぼ中央部に３つの受け部（ビスホール）３５ａを一体に備えている。受け部３５ａは、後述する側壁部６が収容部２に連結される際のビスを受容する部位である。受け部３５ａは、第１の支持部３１の第１の当接部３１ａ、及び、第２の支持部３２の第２の当接部３２ａの近傍、並びに第３の支持部３３の閉構造内に設けられている。
【００３１】
図５に示すように、上枠３は、防音パネル１００の長手方向において、第２の吸音材１ｂが収容される側の両端角部が切り欠かれた形状を有している。具体的には、上枠３において、第２の吸音材１ｂが収容される側の両端角部が切り欠かれている。防音パネル１００の長手方向において第１の支持部３１は、第２の支持部３２よりも長く形成されている。
防音パネル１００の長手方向における上枠３の第１の支持部３１側の両端部には、防音パネル１００を上下に積み重ねた際に防音パネル１００の脱落を防止するワイヤロープ（図示せず）が挿通するための切欠き３６が形成されている。
【００３２】
（下枠）
図２、図３、図６及び図７に示すように、下枠４は、収容部２に収容された第１の吸音材１ａ及び第２の吸音材１ｂの下端部を支持するものである。下枠４は、例えば、アルミニウム又はアルミニウム合金から形成されている。下枠４は、第１の吸音材１ａを正面側から支持する第１の支持部４１と、第２の吸音材１ｂを正面側から支持する第２の支持部４２と、第１の吸音材１ａを背面側から支持する第３の支持部４３と、第２の吸音材１ｂを背面側から支持する第４の支持部４４と、第１の吸音材１ａと第２の吸音材１ｂとにわたって水平方向に延在する底部４５と、防音パネル１００を積み重ねた状態で下側に位置する防音パネル１００の上枠３に係合する係合部４６とを備えて一体に形成されている。
【００３３】
第１の支持部４１は、第１の吸音材１ａの正面側から当接する第１の当接部４１ａを備える。第１の当接部４１ａは、底部４５に連続し、正面側に張り出した第１の張出部４１ｂを備えて形成されている。第１の張出部４１ｂは、第１の当接部４１ａに上端及び底部４５の正面側の端部に連続して正面側に張り出しており、その上部が第１の当接部４１ａに向けて滑らかに湾曲するように形成されている。これにより、第１の当接部４１ａと第１の張出部４１ｂとで閉構造を形成している。
第１の当接部４１ａは、防音パネル１００の上下方向、すなわち、第１の吸音材１ａの上下方向（面方向）に沿って直線状に延びるように形成されており、その上端部（先端部）は、支持される第１の吸音材１ａの正面に向けて若干突出している。
【００３４】
第２の支持部４２は、第２の吸音材１ｂの正面側から当接する第２の当接部４２ａを備える。第２の当接部４２ａは、底部４５に連続し、正面側に張り出した第２の張出部４２ｂを備えて形成されている。第２の当接部４２ａ及び第２の張出部４２ｂの構成は、第１の支持部４１の第１の当接部４１ａ及び第１の張出部４１ｂと同様である。
【００３５】
第３の支持部４３は、底部４５のほぼ中央部に位置し、第１の吸音材１ａの背面側から当接する第３の当接部４３ａを備える。第３の当接部４３ａは、第２の吸音材１ｂ側に張り出した第３の張出部４３ｂを備えて形成されている。第３の張出部４３ｂは、第３の当接部４３ａの先端部から第２の吸音材１ｂの方向に底部４５に向かって斜めに延出し、次いで垂直に延在して底部４５に接続している。これにより、第３の当接部４３ａと第３の張出部４３ｂとで閉構造を形成している。第３の張出部４３ｃの斜めに延出している部分において、後述する仕切材５がリベットＬにより連結される。
【００３６】
第４の支持部４４は、第２の吸音材１ｂの背面側から当接する第４の当接部４４ａを有し、底部４５から上枠３に向かって直線状に延びるように形成されている。
【００３７】
第１の支持部４１の第１の当接部４１ａの内面と、第３の支持部４３の第１の当接部４３ａの内面との間隔は、第１の吸音材１ａの厚さ以下となるような長さに形成されている。また、第２の支持部４２の第２の当接部４２ａの内面と、第４の支持部４４の第４の当接部４４ａの内面との間隔は、第２の吸音材１ｂの厚さ以下となるような長さに形成されている。
【００３８】
底部４５は、防音パネル１００の厚さ方向における両端部、及び、そのほぼ中央部に３つの受け部（ビスホール）４５ａを一体に備えている。受け部４５ａは、後述する側壁部６が収容部２に連結される際のビスを受容する部位である。受け部４５ａは、第１の支持部４１、第２の支持部４２及び第３の閉構造内にそれぞれ設けられている。
【００３９】
係合部４６は、第１の支持部４１の第１の張出部４１ｂ及び第２の支持部４２の第２の張出部４２ｂから連続して下方に向けて延びるように形成されている。係合部４６は、第１の支持部４１の第１の当接部４１ａ、第２の支持部４２の第２の当接部４２ａ、第３の支持部４３の第３の当接部４３ａ、及び第４の支持部４４の第４の当接部４４ａに対して平行に延びている。
係合部４６は、複数の防音パネル１００が積み重ねられて一方の防音パネル１００の上枠３に、他方の防音パネル１００の下枠４が重ねられた場合、当該上枠３の第１の支持部３１の第１の当接部３１ａの外面に係合する爪部４６ａを備えている。爪部４６ａは、係合部４６の下端部から防音パネル１００の内側に突出して形成されている。
【００４０】
図７に示すように、下枠４は、防音パネル１００の長手方向において、第２の吸音材１ｂが収容される側の両端角部が切り欠かれた形状を有している。具体的には、下枠４において、第２の吸音材１ｂが収容される側の両端角部が切り欠かれている。防音パネル１００の長手方向において第１の支持部４１は、第２の支持部４２よりも長く形成されている。
防音パネル１００の長手方向における下枠４の第１の支持部４１側の両端部には、防音パネル１００を上下に積み重ねた際に防音パネル１００の脱落を防止するワイヤロープ（図示せず）が挿通するための切欠き４６が形成されている。
【００４１】
上枠３と下枠４とは、第１の吸音材１ａ及び第２の吸音材１ｂの厚さ方向に沿った長さが等しくなるように形成されており、積み重ねた際に、上枠３及び下枠４の正面及び裏面がほぼ面一となる。これにより、上枠３及び下枠４によって支持される第１の吸音材１ａ及び第２の吸音材１ｂも、積み重ねた際に正面及び背面がほぼ面一となる。よって、複数の吸音パネル１００を上下方向（高さ方向）に積み重ねて壁体として用いることができる。
【００４２】
（仕切材）
図３に示すように、仕切材５は、例えば、鋼製の金属板であり、上枠３と下枠４とに上下方向の端部がそれぞれ連結されており、防音パネル１００の長手方向における一端から他端にわたって延在している。
仕切材５は、第１の吸音材１ａと第２の吸音材１ｂとの間で各吸音材１ａ，１ｂの背面に沿って延びている。仕切材５は、第１の吸音材１ａの背面を支える２つの第１の支持部位５１ａ，５１ｂ、第２の吸音材１ｂの背面を支える第２の支持部位５２、及び、第１の吸音材１ａと第２の吸音材１ｂとを互いに離間させる２つの離間部位５３ａ，５３ｂを備える。
【００４３】
第１の支持部位５１ａは、上枠３から下枠４に向かって第１の吸音材１ａの背面に沿いつつ当接して延在し、途中で、第２の吸音材１ｂに向かって近づく離間部位５３ａに接続している。第１の支持部位５１ａは、上枠３側の先端部が斜めに延在しており、上枠３の第３の支持部３３の第３の張出部３３ｃの斜めに延出している部分と突き合わされて、リベットＬにより連結されている。
第２の吸音材１ｂ側の離間部位５３ａの端部から第２の支持部位５２が、下枠４に向かって第２の吸音材１ｂの背面に沿いつつ当接して延在し、途中で、第１の吸音材１ａに向かって近づく離間部位５３ｂに繋がっている。
第１の吸音材１ａ側の離間部位５３ｂの端部から第１の支持部位５１ｂが、下枠４まで第１の吸音材１ａの背面に沿いつつ当接して延在する。第１の支持部位５１ｂは、下枠４側の先端部が斜めに延在しており、下枠４の第３の支持部４３の第３の張出部４３ｃの斜めに延出している部分と突き合わされて、リベットＬにより連結されている。
仕切材５は、上下の２箇所において第１の支持部位５１ａ，５１ｂにより第１の吸音材１ａを背面側から支え、中央部付近において第２の支持部位５２により第２の吸音材１ｂを背面側から支えるように構成されている。
なお、収容部２は、第１の吸音材１ａ及び第２の吸音材１ｂの正面側に、当該吸音材１ａ，１ｂそれぞれを覆うカバーを備えていない。そのため、第１の吸音材１ａ及び第２の吸音材１ｂは、その正面側が外部（敷地内又は道路）に露出した状態で収容部２に収容されている。
【００４４】
（側壁部）
側壁部６は、収容部２の両側にそれぞれ設けられている。側壁部６は、上枠３と下枠４との間を延在している。図８に示すように、側壁部６は、横断面視コ字状に形成された板状の第１の側壁部材６１と、横断面視クランク状に形成された第２の側壁部材６２と、を備える。側壁部６は、例えば、合金めっき鋼板から形成されている。
【００４５】
第１の側壁部材６１は、防音パネル１００の長手方向に平行で互いに相対して位置する２つの平行部位６１ａ，６１ａと、当該２つの平行部位６１ａ，６１ａ同士を連結してコ字状をなす連結部位６１ｂとを備える。具体的には、連結部位６１ｂは、防音パネル１００の長手方向において内側の平行部位６１ａ，６１ａの端部同士を連結する。
第１の側壁部材６１の連結部位６１ｂにおける上下端部には、上枠３及び下枠４の受け部３５ａ，４５ａに対応する箇所に孔が設けられていて、当該孔にビスが挿通される。
第１の側壁部材６１は、収容部２の第１の吸音材１ａが収容される側において、防音パネル１００の側方に向かって開放した状態で一方の平行部位６１ａにおいて後述する縦枠７１にリベットＬを用いて連結されている。他方の平行部位６１ａは、第２の側壁部材６２にリベットＬを用いて連結されている。
【００４６】
第２の側壁部材６２は、防音パネル１００の長手方向に平行に延在する２つの平行部位６２ａ，６２ａと、当該２つの平行部位６２ａ，６２ａ同士を連結してクランク状をなす連結部位６２ｂとを備える。具体的には、連結部位６２ｂは、防音パネル１００の長手方向において一方の平行部位６２ａの内側の端部と、他方の平行部位６２ａの外側の端部とを連結する。第２の側壁部材６２の連結部位６２ｂにおける上下端部には、上枠３及び下枠４の受け部３５ａ，４５ａに対応する箇所に孔が設けられていて、当該孔にビスが挿通される。
第２の側壁部材６２の一方の平行部位６２ａは、第１の側壁部材６１の他方の平行部位６１ａに連結される。第２の側壁部材６２の他方の平行部位６２ａは、第２の吸音材１ｂ側の防音パネル１００の後述する縦枠７２にリベットＬを用いて連結されている。
防音パネル１００における左右方向両端部は、側壁部６で覆われ、吸音材１ａ，１ｂが離脱できないようになっている。
【００４７】
（縦枠）
図８及び図９に示すように、縦枠７は、防音パネル１００の両面側に露出する側壁部６の正面側を被覆するものであり、側壁部６が見えることによる見映えの悪化を防止する化粧材として用いられる。縦枠７は、例えば、アルミニウム又はアルミニウム合金から形成されている。縦枠７は、防音パネル１００の第１の吸音材１ａの側に設けられる第１の縦枠７１（図９（ａ）参照。）と、第２の吸音材１ｂの側に設けられる第２の縦枠７２（図９（ｂ）参照。）と、を備える。
【００４８】
第１の縦枠７１は、化粧部７１ａと、係止部７１ｂとを備える。化粧部７１ａは、側壁部６の第１の側壁部材６１の正面を覆うものであり、側壁部６に連結した状態において、側壁部６の一方の正面に沿って直線状に延びている。化粧部７１ａは、その一端部近傍でリベットＬにより第１の側壁部材６１の一方の平行部位６１ａと連結されている。化粧部７１ａの側壁部６との連結領域には、シール材Ｓが貼り付けられている。シール材Ｓは、例えば、５倍に発泡されたクロロプレンゴムから形成されている。
係止部７１ｂは、化粧部７１ａに連続して一体に形成されており、側壁部６が折り曲げられている位置で化粧部７１ａの延在方向に対してほぼ直角をなす方向に折り曲げられており、さらに途中でほぼ直角に折り曲げられて延びている。
【００４９】
第２の縦枠７２は、化粧部７２ａを備える。化粧部７２ａは、側壁部６の第２の側壁部材６２の正面を覆うものであり、側壁部６に連結した状態において、側壁部６の他方の正面に沿って直線状に延びている。化粧部７２ａは、その一端部近傍でリベットＬにより第２の側壁部材６２の他方の平行部位６２ａに連結されている。
【００５０】
＜防音パネルの組立て方法及び防音壁の施工方法＞
防音パネル１００を組み立てる際には、収容部２に上枠３、下枠４、仕切材５、縦枠７、及び防音パネル１００の左右方向における一方の端部に側壁部６を取り付けた後、側壁部６が取り付けられていない他方の端部側から、収容部２内に第１の吸音材１ａ及び第２の吸音材１ｂをスライドさせて収容する。第１の吸音材１ａ及び第２の吸音材１ｂの収容後、他方の端部は側壁部６によって閉鎖される。これにより、防音パネル１００が完成する。
側壁部６は、第１の側壁部材６１及び第２の側壁部材６２の孔を、上枠３及び下枠４の受け部３５ａ，４５ａに対応させて、側壁部６の外側からビス（図示せず）を挿通して、各受け部３５ａ，４５ａと係合させることで収容部２に取り付ける。かくして、側壁部６は、収容部２に連結される。
吸音材を収容する際には、第１の吸音材１ａの上下端部を弾性変形させて縮めて、防音パネル１００の左右方向の他方の端部側から上枠３の第１の当接部３１ａと第３の当接部３３ａとの間、及び、下枠４の第１の当接部４１ａと第３の当接部４３ａとの間に第１の吸音材１ａを差し込んで、既に取り付けられた側壁部６に向かってスライドさせて押し込む。第1の吸音材１ａは、その復元力で上枠３と下枠４との間で支持される。
また、収容部２への第２の吸音材１ｂの収容も第1の吸音材１ａの場合と同様に、上下端部を弾性変形させて縮めて上枠３の第２の当接部３２ａと第４の当接部３４ａとの間、及び、下枠４の第２の当接部４２ａと第４の当接部４４ａとの間に、第２の吸音材１ｂを防音パネル１００の左右方向の他方の端部から差し込んで、既に取り付けられた側壁部６に向かってスライドさせて押し込む。第２の吸音材１ｂは、その復元力で上枠３と下枠４との間で支持される。
かくして、第１の吸音材１ａ及び第２の吸音材１ｂは、防音パネル１００の上下方向においては上枠３及び下枠４により挟まれ、左右方向においては側壁部６により長手方向におけるずれが防がれており、そして正面側からは縦枠７１，７２により固定されている。
防音パネル１００は、音源の脇に所定間隔で設置された支柱２００間に嵌め込まれ、防音パネル１００を含む複数の防音パネルを数段積み重ねることで防音壁が完成する。
なお、長期間の使用により、吸音材１ａ，１ｂが破損、劣化してきた場合には、吸音材１ａ，１ｂを弾性変形させて上枠３及び下枠４から取り外し、新しい吸音材１ａ，１ｂと交換する。
【００５１】
以上のような構成を有する防音パネル１００は、敷地内及び道路に面する両面側に２つの吸音材１ａ、１ｂが露出した状態で設けられているので、敷地側からの音及び道路側からの音の双方を吸収することができる。さらに、防音パネル１００は、第１の吸音材１ａと第２の吸音材１ｂとは背面側において互いに離間されて空気層Ａｓが形成されているので遮音効果と共に振動絶縁性が向上する。空気層Ａｓが形成される空間は、上枠３、下枠４、各吸音材１ａ，１ｂの背面、及び側壁部６によって閉鎖されているので、振動絶縁性がさらに向上する。
【００５２】
また、防音パネル１００の上枠３と下枠４との間には仕切材５が設けられており、防音パネル１００における遮音効果をさらに高めることができる。また、仕切材５は、各吸音材１ａ，１ｂを支持する支持部位５１，５２と共に、当該吸音材１ａ，１ｂを互いに離間させる離間部位５３を備えることで、屈曲部が形成されるので収容部２の強度を高めることができる。さらに、仕切材５は、当該吸音材１ａ，１ｂの背面と空気層Ａｓを形成する空間を複数画成することができる。
【００５３】
また、防音パネル１００は、吸音材１ａ，１ｂの正面側が露出されているため、図１０に示すように、雨水、紫外線等を吸音材１ａ，１ｂで直接受けることになる。しかし、吸音材１ａ，１ｂの表面には、保護材１１が設けられているため、保護材１１が耐候性を発揮し、水や紫外線等から吸音材１ａ，１ｂを保護する。従って、正面壁がなくても防音パネルとして十分な機能を発揮することができる。また、吸音材１ａ，１ｂが破損、劣化して交換する際には、正面壁を取り外すような作業も必要ないため、防音パネル１００を現場に設置した状態のまま交換作業を行うことができる。
【００５４】
また、吸音材１ａ，１ｂは弾性材料により形成されているので、例えば、人が防音パネル１００に衝突してもその衝撃を吸音材１ａ，１ｂの弾性変形によって吸収することができる。これにより、衝突した人への衝撃を大幅に緩和することができ、怪我を防止することができる。
【００５５】
＜その他＞
なお、本発明は、上記実施形態に限られるものではなく、本発明の範囲を超えない範囲で適宜変更が可能である。例えば、防音パネルの各構成の形状は任意であり、上述した機能を有しているものであれば、自由に設計変更可能である。
なお、防音壁３００は、例えば、対面通行型の道路の中央分離部に立設することもできる。
また、吸音材は、１つの部材により構成されていてもよく、この場合、吸音材の内部に空気層Ａｓが形成される空洞部が設けられている。
【符号の説明】
【００５６】
１，１ａ，１ｂ  吸音材（吸音部）
２  収容部
３  上枠（上部支持部）
３１  第１の支持部
３２  第２の支持部
３３  第３の支持部
３４  第４の支持部
３５  天井部
３５ａ  受け部
４  下枠（下部支持部）
４１  第１の支持部
４２  第２の支持部
４３  第３の支持部
４４  第４の支持部
４５  底部
４５ａ  受け部
４６  係合部
５  仕切材
５１  第１の支持部位
５２  第２の支持部位
５３  離間部位
６  側壁部
１００  防音パネル
２００  支柱
３００  防音壁
【図１】
2018080557.tif 000003
【図２】
2018080557.tif 000004
【図３】
2018080557.tif 000005
【図４】
2018080557.tif 000006
【図５】
2018080557.tif 000007
【図６】
2018080557.tif 000008
【図７】
2018080557.tif 000009
【図８】
2018080557.tif 000010
【図９】
2018080557.tif 000011
【図１０】
2018080557.tif 000012